(57)【要約】【課題】  傷などがあるディスクを再生する場合に、傷が生じた部分を飛ばしてディスクを再生するときに、できるだけブロックの先頭部分が再生できるようにする「ディスク再生装置及びディスク再生方法」を提供する。【解決手段】  複数のブロックを順番に記録した光ディスク１０を再生する際に、光ピックアップが光ディスク１０の情報を読み取れなくなった場合に、所定時間分だけ光ピックアップを移動させた位置がデータを読み取れなくなる前に再生されていたブロックと異なるブロックであると判断されたときには、再生されていたブロックの次のブロックの先頭に光ピックアップを移動させて再生を行うようにしているので、傷などが生じていないブロックについては、そのブロックの全てを再生することができ、ユーザは、傷などが生じた光ディスク１０であっても快適に視聴することができる。【選択図】        図３
2006054001.tif 000002
【特許請求の範囲】
【請求項１】
情報を持つ複数のブロックを順番に記録したディスクを再生するディスク再生装置であって、
前記ディスクに記録された情報を読み取る光ピックアップと、
前記光ピックアップを移動させる光ピックアップ移動部と、
前記光ピックアップが前記ディスクに記録された情報を読み取れなくなった場合に、前記光ピックアップを所定時間分だけ移動させた場合の位置が前記光ピックアップによって情報を読み取られていたブロックと異なるブロックであるときに、前記光ピックアップ移動部を制御して、前記光ピックアップによって情報を読み取られていたブロックの次のブロックの先頭に前記光ピックアップを移動させる制御部と、
を備えたことを特徴とするディスク再生装置。
【請求項２】
前記制御部は、前記光ピックアップが前記ディスクに記録された情報を読み取れなくなった場合に、前記光ピックアップを所定時間分だけ移動させた場合の位置を設定し、その位置が前記光ピックアップによって情報を読み取られていたブロックの次のブロックの先頭を超えるときに、前記光ピックアップ移動部を制御して、前記次のブロックの先頭に前記光ピックアップを移動させることを特徴とする請求項１に記載のディスク再生装置。
【請求項３】
前記制御部は、前記光ピックアップが前記ディスクに記録された情報を読み取れなくなった場合に、前記光ピックアップ移動部を制御して、前記光ピックアップを所定時間分だけ実際に移動させ、前記光ピックアップの移動した位置が移動前に前記光ピックアップによって情報を読み取られていたブロックの次のブロックの先頭に前記光ピックアップを移動させることを特徴とする請求項１に記載のディスク再生装置。
【請求項４】
情報を持つ複数のブロックを順番に記録したディスクを再生するディスク再生装置であって、
前記ディスクに記録された情報を読み取る光ピックアップと、
前記光ピックアップを移動させる光ピックアップ移動部と、
前記光ピックアップが前記ディスクに記録された情報を読み取れなくなった場合に、前記光ピックアップによって情報を読み取られていたブロックの残りの再生時間を取得し、前記残りの再生時間が所定時間よりも短い場合には、前記光ピックアップ移動部を制御して、前記光ピックアップによって情報を読み取られたブロックの次のブロックの先頭に前記光ピックアップを移動させる制御部と、
を備えたことを特徴とするディスク再生装置。
【請求項５】
情報を持つ複数のブロックを順番に記録したディスクを再生するディスク再生方法であって、
光ピックアップが前記ディスクに記録された情報を読み取れなくなった場合に、前記光ピックアップを所定時間分だけ移動させた位置を設定する第１のステップと、
前記第１のステップにて設定された位置が前記光ピックアップによって情報を読み取られていたブロックの次のブロックの先頭を超えるか否かを調べる第２のステップと、
前記第２のステップにて設定された位置が前記次のブロックの先頭を超えると判断されたときに、前記次のブロックの先頭に前記光ピックアップを移動させる第３のステップと、
を備えたディスク再生方法。
【請求項６】
情報を持つ複数のブロックを順番に記録したディスクを再生するディスク再生方法であって、
光ピックアップが前記ディスクに記録された情報を読み取れなくなった場合に、前記光ピックアップを所定時間分だけ移動させる第１のステップと、
前記第１のステップにて前記光ピックアップを移動させた位置が移動前に前記光ピックアップによって情報を読み取られていたブロックと異なるブロックであるか否かを調べる第２のステップと、
前記第２のステップにて前記光ピックアップを移動させた位置が異なるブロックであると判断されたときに、移動前に前記光ピックアップによって情報を読み取られていたブロックの次のブロックの先頭に前記光ピックアップを移動させる第３のステップと、
を備えたディスク再生方法。
【請求項７】
情報を持つ複数のブロックを順番に記録したディスクを再生するディスク再生方法であって、
光ピックアップが前記ディスクに記録された情報を読み取れなくなった場合に、前記光ピックアップによって情報を読み取られていたブロックの残りの再生時間を取得する第１のステップと、
前記第１のステップにて取得した残りの再生時間が所定時間よりも短いか否かを調べる第２のステップと、
前記前記第２のステップにて前記残りの再生時間が前記所定時間よりも短いと判断されたときに、前記光ピックアップによって情報を読み取られていたブロックの次のブロックの先頭に前記光ピックアップを移動させる第３のステップと、
を備えたディスク再生方法。
【発明の詳細な説明】
【技術分野】
【０００１】
本発明は、音楽情報や映像情報を記録したディスクを再生するディスク再生装置及びディスク再生方法に関する。
【背景技術】
【０００２】
一般に、音楽情報や映像情報などのコンテンツを記録したディスク（例えば光ディスクなど）を再生するディスク再生装置では、回転中のディスクの記録トラックに光ピックアップを追従させるトラッキングを行いながら、光ピックアップによって読み出される読み出し信号に対してエラー訂正などの信号処理を行って、コンテンツを再生している。
【０００３】
このとき、記録トラック上に生じた傷などによって読み出しエラーを生じることがあるが、軽度の読み出しエラーは、エラー訂正によって修復させることができる。
【０００４】
しかしながら、エラー訂正によって修復させることができないような大きな傷などが記録トラック上に生じた場合には、光ピックアップを記録トラックに追従させるトラッキングサーボ自体が正常に動作せずに記録トラックの同一の位置を繰り返しトレースする、いわゆるロックドループを生じることがある。
【０００５】
このようなロックドループを生じないように、記録トラック上に生じた傷を光ピックアップからの読み出し信号のレベル低下によって検出し、記録トラック上の傷が検出された場合に、記録トラックの飛び越しを行う技術が知られている（例えば特許文献１など）。
【特許文献１】特開平７−９８８７１号公報
【０００６】
また、ディスク上の傷によって光ピックアップの現在位置が戻るような場合（記録トラックがディスクの内周側から外周側に向かっている場合には内周側に移動していると判断された場合）には、外周側に移動するようにトラック数を増やしながら光ピックアップをトラックジャンプさせ、このトラックジャンプの回数が所定回数以上になったときに、光ピックアップを一定時間だけ強制的に外周側に送り、ディスクの再生を継続する技術が知られている（例えば特許文献２など）。
【特許文献２】特開平１１−３２８６８６号公報
【０００７】
しかしながら、これらの特許文献１及び特許文献２の技術では、ディスク上に傷などがある場合、記録トラックを飛び越すように光ピックアップを移動させたり、一定時間だけ強制的に光ピックアップを移動させたりするので、ディスク上に記録されている音楽情報を曲毎に分割した音楽トラックやディスク上に記録されている映像情報を所定の単位毎に分割したチャプターを跨いで光ピックアップを移動させることがある。このように光ピックアップを移動させると、移動先の曲やチャプターなどの先頭が再生できなくなってしまうので、ユーザは、傷などが生じていない曲やチャプターであっても先頭部分が切れた状態で視聴しなければならなくなり、快適に視聴することができなくなってしまうという問題があった。
【発明の開示】
【発明が解決しようとする課題】
【０００８】
本発明は、このような問題を解決するために成されたものであり、傷などがあるディスクを再生する場合に、傷が生じた部分を飛ばしてディスクを再生するときに、できるだけ曲やチャプターなどのブロックの先頭部分が再生できるようにすることを目的とする。
【課題を解決するための手段】
【０００９】
上記した課題を解決するために、本発明では、コンテンツの情報を持つ複数のブロックを順番に記録したディスクを再生する際に、光ピックアップがディスク上の情報を読み取れなくなった場合に、所定時間分だけ光ピックアップを移動させた場合の位置がデータを読み出せなくなる前に再生されていたブロックと異なるブロックであるか否かを調べ、異なるブロックであると判断された場合には、光ピックアップがデータを読み出せなくなる前に再生されていたブロックの次のブロックの先頭に光ピックアップを移動させて再生を行うようにしている。
【発明の効果】
【００１０】
上記のように構成した本発明によれば、傷などが生じた部分を飛ばすように光ピックアップを移動させる場合に、移動先のブロックが移動前のブロックと異なるときには、移動先のブロックの先頭部分に光ピックアップを移動させて再生するので、傷などが生じていないブロックについては、そのブロックの全てを再生することができる。従って、ユーザは、傷などが生じたディスクであっても快適に視聴することができる。
【発明を実施するための最良の形態】
【００１１】
（第１の実施形態）
以下、本発明による第１の実施形態を図面に基づいて説明する。図１は、第１の実施形態によるディスク再生装置１の構成例を示すブロック図である。図１において、１０は光ディスク（例えばＣＤなど）であり、情報を記録した信号記録面に傷を生じている。また、光ディスク１０に記録された情報としては、音楽情報やサブコードなどが含まれている。また、光ディスク１０に記録された音楽情報は、複数の音楽トラック（例えば曲など）により構成されている。また、複数の音楽トラックには音楽トラック番号があり、複数の音楽トラックは、光ディスク１０の内周面から外周面に向かっている螺旋状の記録トラックに音楽トラック番号の順番に従って記録されている。ここで、ディスクの最内周面にはリードイン領域が、ディスクの最外周面にはリードアウト領域が設けられている。なお、音楽トラックは、特許請求の範囲のブロックに該当する。
【００１２】
また、記録トラックには、複数の音楽トラックと共にサブコードが記録されている。サブコードには、Ｐ，Ｑ，Ｒ，Ｓ，Ｔ，Ｕ，Ｖ，Ｗの８種があり、そのうち曲の頭出し用にＰコードが、曲の時間データにＱコードが使われ、残りのＲ〜Ｗのコードはその他のデータに使わる。また、サブコードは、１秒分のデータがそろって初めて１つのサブコードとなる。
【００１３】
サブコードは、例えば図２に示すようなデータ構造を持っている。図２において、音楽トラック番号ＴＮＯは、サブコードが記録された位置の音楽トラック番号を示しており、００〜９９，ＡＡの値が入る。ここで、実際に音楽情報が記録された音楽トラックの番号としては、０１〜９９の値が入る。また、００の値が入る場合には、その音楽トラックはリードイン領域であり、ＡＡの値が入る場合には、その音楽トラックはリードアウト領域である。また、インデックスは、サブコードが記録された位置のインデックスを示しており、００〜９９の値が入る。なお、インデックスは、音楽トラックをさらに細分化したものである。ＭＩＮ（分），ＳＥＣ（秒），ＦＲＡＭＥ（フレーム）には、それぞれ、サブコードが記録された位置の楽章内（音楽トラック）の先頭からの経過時間の値が入る。ＺＥＲＯには０が、ただし８ビットであるから００００００００の値が入る。
【００１４】
ＡＭＩＮ，ＡＳＥＣ，ＡＦＲＡＭＥは、光ディスク１０の先頭（リードイン領域を除く）からサブコードが記録された位置までの絶対時間を示す。ＡＭＩＮ，ＡＳＥＣには、それぞれ０〜７４と０〜５９の値が入るが、これは光ディスク１０の記録時間が最大７４分だからである。また、ＡＦＲＡＭＥには、０〜７４の値が入り、７５フレームが１秒に該当する。
【００１５】
また、光ディスク１０のリードイン領域には、光ディスク１０に記録された音楽情報の目次を示すＴＯＣ（Table of Contents）が記録されている。
【００１６】
ＴＯＣは、例えば図３に示すようなデータ構造を持っている。図３において、音楽トラック番号ＴＮＯは、ＴＯＣが記録されている音楽トラック番号を示しており、ＴＯＣがリードイン領域に記録されているので００の値が入る。また、ＰＯＩＮＴは、光ディスク１０に記録されている音楽トラック番号を示し、００〜９９，Ａ０，Ａ１，Ａ２の値が入る。ＭＩＮ（分），ＳＥＣ（秒），ＦＲＡＭＥ（フレーム）には、それぞれ、ＴＯＣが記録されている位置の楽章内（音楽トラック）の先頭からの経過時間の値が入る。ＺＥＲＯには０が、ただし８ビットであるから００００００００の値が入る。
【００１７】
ＰＭＩＮ，ＰＳＥＣ，ＰＦＲＡＭＥは、ＰＯＩＮＴに入る値によって意味が変わる。ＰＯＩＮＴに００〜９９までの値が入るときには、光ディスク１０の先頭（リードイン領域を除く）からＰＯＩＮＴに入る値によって表される音楽トラック番号の先頭までの絶対時間を示す。ＰＭＩＮ，ＰＳＥＣには、それぞれ０〜７４と０〜５９の値が入る。また、ＰＦＲＡＭＥには、０〜７４の値が入る。
【００１８】
また、ＰＯＩＮＴにＡ０の値が入った場合には、ＰＭＩＮは光ディスク１０における最初の音楽トラック番号を示し、ＰＳＥＣとＰＦＲＡＭＥは共に０となる。また、ＰＯＩＮＴにＡ１の値が入った場合には、ＰＭＩＮは光ディスク１０における最後の音楽トラック番号を示し、ＰＳＥＣとＰＦＲＡＭＥは共に０となる。また、ＰＯＩＮＴにＡ２の値が入った場合には、ＰＭＩＮ，ＰＳＥＣ，ＰＦＲＡＭＥは、リードアウト領域が始まる絶対時間を示す。
【００１９】
再び図１に戻って、本実施形態によるディスク再生装置１の構成を説明する。図１において、２は光ピックアップであり、光ディスク１０に記録されている情報を再生するためのレーザ光を出射すると共に、光ディスク１０からの反射光を受光して再生信号を得る。また、光ピックアップ２は、光ディスク１０がディスク再生装置１にセットされたときに、光ディスク１０の最内周面のリードイン領域に記録されたＴＯＣを読み取る。３は光ピックアップ移動用モータ（特許請求の範囲の光ピックアップ移動部に該当する）であり、光ピックアップ２のレーザ光を出射する位置を光ディスク１０の径方向に移動させる（以下、光ピックアップ２の移動と記述する）。４はスピンドルモータであり、光ディスク１０を回転駆動させる。
【００２０】
５はＲＦ（Radio Frequency）アンプであり、光ピックアップ２から再生信号及びＴＯＣを入力してＲＦ信号を生成する。６はＤＳＰ（digital Signal Processor）であり、ＲＦアンプ５からＲＦ信号を入力し、デジタルデータとして二値化すると共に、二値化したデジタルデータをエラー訂正する。また、ＤＳＰ６は、デジタルデータのエラー訂正ができない場合、光ディスク１０に傷などがあり、光ピックアップ２にて光ディスク１０に記録されている情報を読み取ることができないと判断して、読み取りエラー信号を出力する。また、ＤＳＰ６は、エラー訂正したデジタルデータをデジタル音声信号と同期信号とに分離して出力する。ここで、同期信号には、ＴＯＣの内容が含まれている。
【００２１】
７は制御部であり、ＤＳＰ６から同期信号及び読み取りエラー信号を入力する。制御部７は、ＤＳＰ６から入力した同期信号に基づいて、光ピックアップ２のアクチュエータ（図示せず）に対してトラッキング及びフォーカシングを行う。また、制御部７は、ＤＳＰ６から入力した同期信号に基づいてスピンドルモータ４の回転制御を行う。
【００２２】
また、制御部７は、ＤＳＰ６から入力した同期信号及び読み取りエラー信号に基づいて、光ピックアップ移動用モータ３を制御する。制御部７がＤＳＰ６より読み取りエラー信号を入力しない場合、換言すると、光ピックアップ２にて光ディスク１０に記録されている情報が読み取れている場合、光ピックアップ移動用モータ３では、光ピックアップ２が光ディスク１０の記録トラックを追従するように光ピックアップ２を径方向に移動させる。
【００２３】
一方、制御部７がＤＳＰ６より読み取りエラー信号を入力した場合には、制御部７は、光ピックアップ移動用モータ３を制御して、予め定められたトラックジャンプの長さだけ光ディスク１０の外周に向かって光ピックアップ２を移動させる。ここで、予め定められたトラックジャンプの長さは、例えば記録トラックの情報を３〜１０秒程度の所定時間分飛ばす場合の光ディスク１０の径方向の距離を示す。
【００２４】
ここで、制御部７は、実際に光ピックアップ２を移動させる前に、現在再生している音楽トラックと移動先の音楽トラックとが異なる音楽トラックであり、移動先の音楽トラックの先頭を超えて光ピックアップ２が移動されるか否かを調べる。そして、現在再生している音楽トラックと移動先の音楽トラックとが異なる音楽トラックであり、移動先の音楽トラックの先頭を超えて光ピックアップ２が移動されると判断した場合には、制御部７は、光ピックアップ移動用モータ３を制御して、移動先の音楽トラックの先頭に光ピックアップ２を移動させる。
【００２５】
具体的には、まず、光ディスク１０がディスク再生装置１にセットされると、制御部７は、光ピックアップ移動用モータ３を制御して、光ピックアップ２を光ディスク１０のリードイン領域に移動させる。光ピックアップ２は、光ディスク１０のリードイン領域を再生し、ＴＯＣを取得する。取得されたＴＯＣは、ＲＦアンプ５及びＤＳＰ６を介して制御部７に入力される。
【００２６】
制御部７では、ディスク再生装置１にセットされた光ディスク１０の音楽トラックの数、各音楽トラック番号、各音楽トラックの先頭の絶対時間をＴＯＣにより取得する。
【００２７】
そして、図４（ａ）に示すように、光ピックアップ２がｎ番目（ｎは１以上の整数）の音楽トラックを再生している場合に、制御部７は、光ピックアップ２が現在再生している位置の絶対時間をサブコードなどにより判別する。また、制御部７は、ＤＳＰ６より読み取りエラー信号を入力することで、光ディスク１０に生じた傷を認識する。
【００２８】
光ディスク１０に生じた傷を認識すると、図４（ｂ）に示すように、制御部７は、光ディスク１０に生じた傷を回避するために予め定められたトラックジャンプの長さだけ光ディスク１０の外周に向かって光ピックアップ２を移動させた場合の移動先を設定する。そして、制御部７は、設定した光ピックアップ２の移動先の絶対時間を調べる。例えば、光ピックアップ２が現在再生している位置の絶対時間に、予め定められたトラックジャンプの長さに対応する時間を加算して、設定した光ピックアップ２の移動先の絶対時間を調べる。
【００２９】
また、制御部７は、取得したＴＯＣを参照し、現在再生している位置の絶対時間と各音楽トラックの先頭の絶対時間とを比較することで、現在再生している音楽トラック番号（ｎ番目の音楽トラック）を調べる。更に、制御部７は、設定した光ピックアップ２の移動先の絶対時間と各音楽トラックの先頭の絶対時間とを比較することで、設定した光ピックアップ２の移動先が、現在再生している音楽トラック番号（ｎ番目の音楽トラック）の次の音楽トラック番号（ｎ＋１番目の音楽トラック）の先頭を超えるか否かを調べる。
【００３０】
そして、制御部７は、設定した光ピックアップ２の移動先が現在再生しているｎ番目の音楽トラックの次のｎ＋１番目の音楽トラックの先頭を超えると判断した場合、図４（ｃ）に示すように、ＴＯＣを参照してｎ＋１番目の音楽トラックの先頭の絶対時間を特定する。制御部７は、光ピックアップ移動用モータ３を制御して、得られた絶対時間（ｎ＋１番目の音楽トラックの先頭）に光ピックアップ２を移動させる。
【００３１】
８はＤ／Ａコンバータであり、ＤＳＰ６から出力されたデジタルオーディオ信号を入力し、アナログ音声情報に変換して出力する。
【００３２】
次に、第１の実施形態によるディスク再生装置１の動作及びディスク再生方法を説明する。図５は、第１の実施形態によるディスク再生装置１の動作及びディスク再生方法を示すフローチャートである。まず、ディスク再生装置１にて光ディスク１０を再生している状態において、制御部７は、ＤＳＰ６から読み取りエラー信号を入力したか否かを調べる（ステップＳ１）。制御部７にて読み取りエラー信号を入力しないと判断された場合には（ステップＳ１にてＮＯ）、制御部７は、ディスク再生装置１にて光ディスク１０の再生が終了したか否かを調べる（ステップＳ２）。
【００３３】
制御部７にて光ディスク１０の再生が終了したと判断された場合には（ステップＳ２にてＹＥＳ）、処理を終了する。一方、制御部７にて光ディスク１０の再生が終了していないと判断された場合には（ステップＳ２にてＮＯ）、ステップＳ１の処理に戻る。
【００３４】
また、制御部７にて読み取りエラー信号を入力したと判断した場合には（ステップＳ１にてＹＥＳ）、制御部７は、予め定められたトラックジャンプの長さだけ光ディスク１０の外周に向かって光ピックアップ２を移動させたときの移動先を設定する（ステップＳ３）。
【００３５】
次に、制御部７は、設定した光ピックアップ２の移動先の絶対時間が次の音楽トラックの先頭の絶対時間を超えるか否かを調べる（ステップＳ４）。設定した光ピックアップ２の移動先の絶対時間が次の音楽トラックの先頭の絶対時間を超えない場合（ステップＳ４にてＮＯ）、制御部７は、光ピックアップ移動用モータ３を制御して、ステップＳ３にて設定した移動先に光ピックアップ２を移動させる（ステップＳ５）。そして、光ディスク１０の再生を継続しながらステップＳ１の処理に戻る。
【００３６】
一方、設定した光ピックアップ２の移動先の絶対時間が次の音楽トラックの先頭の絶対時間を超える場合（ステップＳ４にてＹＥＳ）、制御部７は、設定した光ピックアップ２の移動先の絶対時間がリードアウト領域の開始位置の絶対時間を超えるか否かを調べる（ステップＳ６）。そして、設定した光ピックアップ２の移動先の絶対時間がリードアウト領域の開始位置の絶対時間を超える場合（ステップＳ６にてＹＥＳ）、リードアウト領域を再生することはできないので、制御部７は、１番目の音楽トラックの先頭を光ピックアップ２の移動先に設定する（ステップＳ７）。そして、制御部７は、光ピックアップ移動用モータ３を制御して、ステップＳ７にて設定した移動先に光ピックアップ２を移動させる（ステップＳ５）。そして、光ディスク１０の再生を継続しながらステップＳ１の処理に戻る。
【００３７】
一方、設定した光ピックアップ２の移動先の絶対時間がリードアウト領域の開始位置の絶対時間を超えない場合（ステップＳ６にてＮＯ）、次の音楽トラックの先頭を光ピックアップ２の移動先に設定する（ステップＳ８）。そして、制御部７は、光ピックアップ移動用モータ３を制御して、ステップＳ８にて設定した移動先に光ピックアップ２を移動させる（ステップＳ５）。そして、光ディスク１０の再生を継続しながらステップＳ１の処理に戻る。
【００３８】
以上詳しく説明したように、第１の実施形態によれば、読み取りエラー信号を制御部７が入力したときに、制御部７は、光ピックアップ２を所定時間分だけ移動させた場合の位置を設定し、その位置が現在再生されている音楽トラックの次の音楽トラックの先頭を超えているか否かを調べる。そして、次の音楽トラックの先頭を超えていると判断された場合には、制御部７は、光ピックアップ移動用モータ３を制御して、その音楽トラックの先頭に光ピックアップ２を移動させるようにしている。従って、傷などが生じた部分を飛ばして光ディスク１０を再生する際に、光ピックアップ２の移動先が次の音楽トラックであるときには、その音楽トラックの先頭部分から再生されるので、傷を生じていない音楽トラックの全てを再生することができる。これにより、ユーザは、傷などが生じたディスクであっても快適に音楽情報を聴取することができる。
【００３９】
また、第１の実施形態によれば、傷などが生じた部分を飛ばして光ディスク１０を再生する際に、次の音楽トラックの先頭を超えて光ピックアップ２が移動するか否かを、実際に光ピックアップ２を移動させることなく判断することができるので、光ピックアップ移動用モータ３への負担を軽減することができる。
【００４０】
（第２の実施形態）
以下、本発明による第２の実施形態を図面に基づいて説明する。なお、第２の実施形態によるディスク再生装置１の全体構成については、図１と同様であるから説明を省略する。ただし、その動作は図６及び図７に示す通りであり、制御部７は後述する処理を行う点で相違する。
【００４１】
第２の実施形態では、制御部７がＤＳＰ６より読み取りエラー信号を入力した場合、制御部７は、光ピックアップ移動用モータ３を制御して、予め定められたトラックジャンプの長さだけ光ディスク１０の外周に向かって光ピックアップ２を実際に移動させる。
【００４２】
そして、制御部７は、移動先の音楽トラックが移動前に再生していた音楽トラックと異なる音楽トラックであるか否かを調べる。制御部７にて異なる音楽トラックであると判断された場合には、制御部７は、光ピックアップ移動用モータ３を制御して、移動前に再生していた音楽トラックの次の音楽トラックの先頭に光ピックアップ２を移動させる。ここで、移動前に再生していた音楽トラックと異なる音楽トラックは、移動前に再生していた音楽トラックの次の音楽トラックと同一である。
【００４３】
具体的には、図６（ａ）に示すように、光ピックアップ２がｎ番目（ｎは１以上の整数）の音楽トラックを再生している場合に、制御部７は、光ピックアップ２が現在再生している位置の絶対時間及び音楽トラック番号（ｎ番目の音楽トラック）をサブコードなどにより判別する。また、制御部７は、ＤＳＰ６より読み取りエラー信号を入力することで、光ディスク１０に生じた傷を認識する。
【００４４】
そして、制御部７が光ディスク１０に生じた傷を認識すると、図６（ｂ）に示すように、制御部７は、光ピックアップ移動用モータ３を制御して、光ディスク１０に生じた傷を回避するために予め定められたトラックジャンプの長さだけ光ディスク１０の外周に向かって光ピックアップ２を移動させる。次に、制御部７は、移動先の絶対時間及び音楽トラック番号をサブコードなどにより判別する。制御部７は、移動先の音楽トラックが移動前に再生していた音楽トラックと異なるか否か（ｎ＋１番目の音楽トラックかどうか）を調べる。ここで、制御部７は、光ピックアップ２を実際に移動させるので、サブコードを読み取ることができる。
【００４５】
そして、制御部７にて光ピックアップ２の移動先の音楽トラック（ｎ＋１番目の音楽トラック）が移動前に再生していた音楽トラック（ｎ番目の音楽トラック）と異なると判断された場合、制御部７は、図６（ｃ）に示すように、光ピックアップ移動用モータ３を制御して、次の音楽トラック（ｎ＋１番目の音楽トラック）の先頭に光ピックアップ２を移動させる。
【００４６】
次に、第２の実施形態によるディスク再生装置１の動作及びディスク再生方法を説明する。図７は、第２の実施形態によるディスク再生装置１の動作及びディスク再生方法を示すフローチャートである。まず、ディスク再生装置１にて光ディスク１０を再生している状態において、制御部７は、ＤＳＰ６から読み取りエラー信号を入力したか否かを調べる（ステップＳ１１）。
【００４７】
制御部７にて読み取りエラー信号を入力しないと判断された場合には（ステップＳ１１にてＮＯ）、制御部７は、ディスク再生装置１にて光ディスク１０の再生が終了したか否かを調べる（ステップＳ１２）。
【００４８】
制御部７にて光ディスク１０の再生が終了したと判断された場合には（ステップＳ１２にてＹＥＳ）、処理を終了する。一方、制御部７にて光ディスク１０の再生が終了していないと判断された場合には（ステップＳ１２にてＮＯ）、ステップＳ１１の処理に戻る。
【００４９】
また、制御部７にて読み取りエラー信号を入力したと判断した場合には（ステップＳ１１にてＹＥＳ）、制御部７は、光ピックアップ移動用モータ３を制御して、予め定められたトラックジャンプの長さだけ光ディスク１０の外周に向かって光ピックアップ２を移動させる（ステップＳ１３）。
【００５０】
そして、制御部７は、光ピックアップ２が移動する前に再生していた音楽トラックと光ピックアップ２の移動先の音楽トラックとが異なる音楽トラックであるか否かを調べる（ステップＳ１４）。制御部７にて、光ピックアップ２が移動する前に再生していた音楽トラックと移動先の音楽トラックとが同じ音楽トラックであると判断された場合には（ステップＳ１４にてＮＯ）、光ディスク１０の再生を継続しながらステップＳ１１の処理に戻る。
【００５１】
一方、制御部７にて、光ピックアップ２が移動する前に再生していた音楽トラックと移動先の音楽トラックとが異なる音楽トラックであると判断された場合には（ステップＳ１４にてＹＥＳ）、制御部７は、光ピックアップ２が移動する前に再生していた音楽トラックの次の音楽トラックの先頭を移動先に設定する（ステップＳ１５）。次に、制御部７は、光ピックアップ移動用モータ３を制御して、ステップＳ１５にて設定した移動先へ光ピックアップ２を移動させる（ステップＳ１６）。そして、光ディスク１０の再生を継続しながらステップＳ１１の処理に戻る。
【００５２】
以上詳しく説明したように、第２の実施形態によれば、読み取りエラー信号を制御部７が入力したとき、制御部７は、光ピックアップ移動用モータ３を制御して、所定時間分だけ光ピックアップ２を移動させる。そして、移動前の音楽トラックと移動先の音楽トラックとが異なるか否かを調べ、異なる音楽トラックであると判断された場合には、制御部７は、光ピックアップ移動用モータ３を制御して、移動前の音楽トラックの次の音楽トラックの先頭に光ピックアップ２を移動させるようにしている。従って、光ディスク１０の傷が生じた部分を飛ばして再生する際に、次の音楽トラックに移動するときには、その音楽トラックの先頭部分から再生されるので、傷を生じていない全ての音楽トラックを再生することができる。これにより、ユーザは、音楽情報を快適に聴取することができる。
【００５３】
また、第２の実施形態によれば、光ディスク１０の傷が生じた部分を飛ばして再生する際に、光ピックアップ２を実際に移動させて、異なる音楽トラックに移動したか否かを判断するので、複雑な演算を行う必要がなくなり、制御部７への負担を軽減することができる。
【００５４】
また、第２の実施形態によれば、異なる音楽トラックに移動したか否かを判断する際に、サブコードを利用しているので、光ディスク１０のＴＯＣが記録されたリードイン領域に傷が生じていても光ピックアップ２を移動させることができる。
【００５５】
なお、上記第１の実施形態及び第２の実施形態において、移動先に設定した音楽トラックの先頭の絶対時間に基づいて光ピックアップ２を移動させているが、これに限定されない。例えば、サブコードには、音楽トラックの先頭位置を示すＰコードがあるので、これを利用して、移動先の音楽トラックの先頭へ光ピックアップ２を移動させるようにしても良い。また、サブコードには、音楽トラックの経過時間を示すＱコードがあるので、音楽トラックの経過時間分だけ逆方向に光ピックアップ２を移動させるようにして、移動先の音楽トラックの先頭へ光ピックアップ２を移動させるようにしても良い。
【００５６】
また、上記第１の実施形態及び第２の実施形態では、コンテンツを記録する記録媒体として光ディスクを使用し、コンテンツを音楽情報とし、複数のブロックを音楽トラックとしているが、これに限定されない。例えば、コンテンツを記録する媒体としては、光磁気ディスク（例えばＭＤなど）を使用しても良い。また、コンテンツを映像情報とし、複数のブロックをタイトルやチャプターとしても良い。
【００５７】
また、第１の実施形態では、制御部７は、所定時間分だけ光ピックアップ２を移動させた場合に、次の音楽トラックの先頭を超えているか否かを調べることで、光ピックアップ２の移動を制御しているが、これに限定されない。例えば、図８（ａ）に示すように、光ピックアップ２がｎ番目の音楽トラックを再生している際に、制御部７が読み取りエラー信号を入力した場合、制御部７は、ｎ番目の音楽トラックの残り再生時間が所定時間（例えば３〜１０秒など）よりも短いか否かを調べるようにしても良い。そして、図８（ｂ）に示すように、制御部７にてｎ番目の音楽トラックの残り再生時間が所定時間よりも短いと判断された場合には、制御部７は、光ピックアップ移動用モータ３を制御して、ｎ＋１番目の音楽トラックの先頭に光ピックアップ２を移動させる。
【００５８】
ここで、所定時間とは、予め定められたトラックジャンプの長さに対応する記録トラックの再生時間（例えば３〜１０秒など）であるが、これに限定されない。例えば、所定時間は、予め定められたトラックジャンプの長さに対応する記録トラックの再生時間よりも長めの時間（例えば５〜１２秒など）であっても良い。これにより、ｎ番目の音楽トラックの残り再生時間が予め定められたトラックジャンプの長さに対応する記録トラックの再生時間よりも少しだけ長い場合に（例えば４〜１１秒など）、所定時間は、ｎ番目の音楽トラックの残り再生時間よりも長く設定されているので、制御部７にてｎ番目の音楽トラックの残り再生時間が所定時間よりも短いと判断される。そして、制御部７は、光ピックアップ移動用モータ３を制御して、ｎ＋１番目の音楽トラックの先頭に光ピックアップ２を移動させる。これにより、ｎ番目の音楽トラックの残り部分が中途半端に再生されることなく、ｎ＋１番目の音楽トラックの先頭から再生されるので、ユーザは、音楽情報を快適に聴取することができる。
【００５９】
また、第１の実施形態では、設定した光ピックアップ２の移動先がリードアウト領域の先頭を超える場合、１番目の音楽トラックの先頭から再生するようにしているが、これに限定されない。例えば、光ディスク１０の再生を終了するようにしても良い。
【００６０】
また、第１の実施形態及び第２の実施形態では、移動先が異なる音楽トラックの場合に、音楽トラックの先頭に光ピックアップ２を移動させるようにしているが、移動先の音楽トラックの先頭にも傷がある場合には、図９に示すような動作をするようにしても良い。図９（ａ）に示すように、ｎ番目の音楽トラックを再生中に、ディスク１０に生じた傷を発見すると、制御部７は、図９（ｂ）に示すように、光ピックアップ移動用モータ３を制御して、予め定められたトラックジャンプの長さだけ光ピックアップ２を移動させる。
【００６１】
次に、制御部７は、移動先の音楽トラック（ｎ＋１番目の音楽トラック）が移動前に再生していた音楽トラック（ｎ番目の音楽トラック）と異なるか否かを判断する。そして、異なると判断した場合には、図９（ｃ）に示すように、光ピックアップ移動用モータ３を制御して、ｎ＋１番目の音楽トラックの先頭へ光ピックアップ２を移動させる。ここで、ｎ＋１番目の音楽トラックの先頭の部分にも傷が生じていると、制御部７は、読み取りエラー信号の入力により、その傷を発見する。この場合、図９（ｄ）に示すように、制御部７は、光ピックアップ移動用モータ３を制御して、予め定められたトラックジャンプの長さだけ光ピックアップ２を再度移動させる。
【００６２】
一方、図９（ｄ）に示す例では、ｎ＋１番目の音楽トラックの先頭部分が大幅に飛ばされてしまうので、図９（ｄ）´に示すように、制御部７は、光ピックアップ２を最初に移動させた位置（図９（ｂ）に示す）から再生させるようにしても良い。
【００６３】
また、上記第２の実施形態において、光ピックアップの移動先の絶対時間及び音楽トラック番号をサブコードにより識別しているが、これに限定されない。例えば、リードイン領域に記録されているＴＯＣにより判断するようにしても良い。また、ＴＯＣ及びサブコードのどちらか一方だけでなく、ＴＯＣ及びサブコードを併用するようにしても良い。これにより、ＴＯＣ及びサブコードのどちらか一方が読み取れない場合でも、光ピックアップ２を移動させることができる。
【００６４】
その他、上記第１の実施形態及び第２の実施形態は、本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００６５】
本発明は、回転駆動させたディスクに記録された情報を光ピックアップにより読み取るディスク再生装置に有用である。
【図面の簡単な説明】
【００６６】
【図１】第１の実施形態及び第２の実施形態によるディスク再生装置の構成例を示すブロック図である。
【図２】サブコードのデータ構造の例を示す図である。
【図３】ＴＯＣのデータ構造の例を示す図である。
【図４】第１の実施形態のディスク再生装置によるディスク再生方法の例を示す図である。
【図５】第１の実施形態によるディスク再生装置の動作及びディスク再生方法を示すフローチャートである。
【図６】第２の実施形態のディスク再生装置によるディスク再生方法の例を示す図である。
【図７】第２の実施形態によるディスク再生装置の動作及びディスク再生方法を示すフローチャートである。
【図８】第１の実施形態のディスク再生装置によるディスク再生方法の変形例を示す図である。
【図９】第２の実施形態によるディスク再生装置の光ピックアップの移動先に傷がある場合におけるディスク再生方法の例を示す図である。
【符号の説明】
【００６７】
１    ディスク再生装置
２    光ピックアップ
３    光ピックアップ移動用モータ
４    スピンドルモータ
５    ＲＦアンプ
６    ＤＳＰ
７    制御部
８    Ｄ／Ａコンバータ
【図１】
2006054001.tif 000003
【図２】
2006054001.tif 000004
【図３】
2006054001.tif 000005
【図４】
2006054001.tif 000006
【図５】
2006054001.tif 000007
【図６】
2006054001.tif 000008
【図７】
2006054001.tif 000009
【図８】
2006054001.tif 000010
【図９】
2006054001.tif 000011